(57)【要約】【課題】ビル風を引き起こす可能性のある建築物にビル風を低減するための隅切や隅欠を設けるという建築物の平面形状を変更することなく隅切や隅欠を設けた場合と同等のビル風の低減効果が得られるようにする。【解決手段】建築物１の角１ａの近傍の壁面に、好ましくは角１ａの両側に壁面から突出するフィン２が設けて仮想壁面４を形成してある。フィン２の起点は最上階からでも中間階からでもよく、少なくとも地上部近傍には設けてある建築物であり、角１ａからフィン２の設置位置までの距離Ｗと壁面からの突出量である奥行Ｄとの比（Ｗ／Ｄ）は０．５〜３とするのが好ましく、奥行Ｄは６ｍ以下とするのが好ましい。建築物１の壁面を地面に向かって内側に傾斜させることによってフィン２の奥行Ｄが地上に向かって増大するようにしてもよい。【選択図】図１
2019052500.tif 000002
【特許請求の範囲】
【請求項１】
建築物の壁面の交差部である角または角に設けた隅欠の近傍の壁面に、壁面から突出する上下方向に延びるフィンを設けることによって建築物の角に仮想壁面が形成されているビル風を低減した建築物。
【請求項２】
請求項１において、フィンが角または隅欠を挟んで対称または非対称に配置してあるビル風を低減した建築物。
【請求項３】
請求項１または２において、角または隅欠からフィンの設置位置までの距離Ｗとフィンの地上部近傍における奥行Ｄの比（Ｗ／Ｄ）が０．５〜３であり、奥行Ｄは地上部近傍において６ｍ以下であるビル風を低減した建築物。
【請求項４】
請求項１または２において、フィンが建築物の最上階または中間階を起点として地上部近傍まで延びており、地上部に向かって角または隅欠からフィンまでの距離Ｗが大きくなるようにしてあるか、または、地上部に向かってフィンの奥行Ｄが大きくなるようにしてあるビル風を低減した建築物。
【請求項５】
請求項１または２において、建築物の壁面が内側に向かって傾斜しており、フィンの奥行Ｄが地上部に向かって大きくなるようにしてあるビル風を低減した建築物。
【請求項６】
請求項１または２において、隣接するフィンが交差しているビル風を低減した建築物。
【発明の詳細な説明】
【技術分野】
【０００１】
本発明は、建築物、特に高層建築物の周辺で発生するビル風を低減する建築物に関する。
【背景技術】
【０００２】
建築物の地上面付近では所謂ビル風が発生し、強風障害が生じることが知られている。建築物の周囲に発生するビル風によって歩行者の転倒や看板や傘が吹き飛ばされるなどの被害がおきており、ビル風の低減について種々の提案がされている。
建築物に吹き抜きを形成することや、建築物周辺の植栽によってビル風を低減するなどの解決策が提案されている。
ビル風対策として平面形状四角形や多角形の建築物に対して、角の部分を切り取る隅切や、また、角を欠いた状態とする隅欠が行われているが建築物の平面形状を変更することになる。
【先行技術文献】
【特許文献】
【０００３】
【特許文献１】特開２００４−２８５７５６号公報
【特許文献２】特許第２６４９２９０号公報
【特許文献３】特許第３２７８５０４号公報
【特許文献４】特許第５９６２９１１号公報
【発明の開示】
【発明が解決しようとする課題】
【０００４】
従来行われている建築物の角を切り取る隅切によってビル風の低減を達成する方法では、建築物の角の空間が切り取られてしまうので利用空間が減少するという問題があった。
本発明は、隅切や隅欠を設けるという建築物の平面形状を変更するという方法を採用せずに、隅切や隅欠を設けたと同等のビル風の低減効果が得られるようにすることを課題とするものである。
なお、本明細書において、「角」は、建築物の壁の交差部を意味し、交差部を曲面に形成したもの、隅欠を有する場合も包含するものである。
【課題を解決するための手段】
【０００５】
建築物の壁面の交差部である角または角に設けた隅欠の近傍の壁面に、壁面から突出する上下方向に延びるフィンを設けることによって建築物の角に仮想壁面が形成されているビル風を低減した建築物である。
フィンが角または隅欠を挟んで対称または非対称に配置してあるビル風を低減した建築物である。
建築物の角からフィンの設置位置までの距離Ｗと壁面からの突出量である奥行Ｄとの比（Ｗ／Ｄ）は、地上部近傍において０．５〜３としたものである。また、壁面からの突出量である奥行Ｄは地上部近傍において６ｍ以下とするのが好ましい。
更に、フィンが建築物の最上階または中間階を起点として地上部近傍まで延びており、地上部に向かって角または隅欠からフィンまでの距離Ｗを大きくしてあるか、または、地上部に向かってフィンの奥行Ｄを大きくしてあるビル風を低減した建築物である。
更に、建築物の壁面が内側に向かって傾斜しており、フィンの奥行Ｄが地上部に向かって大きくなるようにしてあるビル風を低減した建築物である。
更に、フィンが傾斜して壁面に設置してあり、隣接するフィンが交差しているビル風を低減した建築物である。
【発明の効果】
【０００６】
建築物の壁面の交差部である角または角に設けた隅欠の近傍の壁面に、壁面から突出するフィンが設けてあり、建築物の角に仮想壁面が形成され、平面形状を変更することなく疑似的な隅切が形成されたことになり、ビル風の風速を減衰させることが可能となり、ビル風による種々の被害を低減することができる。
建築物の角に丸味をつけてビル風対策をしたものに比較して建物を平面的に有効に利用でき、また、室内の使い勝手がよいビル風対策を施した建築物とすることができる。
建物の角は直角に限定されず、鋭角または鈍角の角、隅欠の角に対してもフィンを配置することによって疑似的な隅切や多角形として作用するのでビル風の低減に有効である。
また、建築物の壁面を下方に向かって後退させた斜めの壁面形状とした場合、フィンの壁面までの奥行Ｄが建築物の下部に向かって大きなものとなり、ビル風低減の効果を更に大きくすることができる。
【図面の簡単な説明】
【０００７】
【図１】本発明のビル風低減のためのフィンの設置位置を示す建築物の平面図。
【図２】風速分布の解析対象の建築物の斜視図及び平面図。
【図３】解析に基づく建築物の周囲の風速分布図。
【図４】フィンの奥行と設置位置による仮想壁面の形状の説明図。
【図５】フィンの立面形状の実施例。
【図６】フィンの立面形状の実施例。
【図７】フィンの立面形状の実施例。
【図８】フィンの立面形状の実施例。
【図９】フィンの立面形状の実施例。
【図１０】基壇部を設けた建築物に本発明を適用した実施例。
【図１１】多角形の建築物の角にフィンを設けた実施例。
【図１２】フィンを交差させた実施例。
【図１３】フィンを交差させた実施例。
【図１４】フィンを交差させた実施例。
【発明を実施するための形態】
【０００８】
図１は、本発明のビル風を低減する建築物の基本概念を説明するものであり、建築物１の平面図を示すものであり、（１）建築物１の角の角度が直角の場合、（２）鈍角の場合、及び（３）角に隅欠３を設けた場合のフィン２の設置位置について示したものである。
（１）は建築物１の直角の角１ａから両方向に距離Ｗ離れた位置に壁面に対して直角方向への突出量(奥行)Ｄのフィン２を建築物の角１ａを挟んで対称位置に設置したものである。角１ａを挟んで配置されたフィン２、２の先端を結んだ一点鎖線４が仮想的な壁面（仮想壁面）を示し、風に対しては建築物１の角１ａに隅切を形成したと同等の効果を発揮し、ビル風を低減するものである。フィン２は角から一方向に距離Ｗ離れた位置のみに設けた場合も仮想壁面４が形成されるので、同様にビル風低減効果を発揮する。
角１ａからフィン２の位置までの距離Ｗとフィン２の奥行Ｄを変えることにより仮想壁面４の形状を変更することができるので、建築物１の建築場所の風環境に応じて距離Ｗと奥行Ｄを適切な値に決定して仮想壁面４の形状を求める。フィン２は角に対して必ずしも対称に設置する必要はなく、角からの距離Ｗとフィン２の奥行Ｄを変更して角に対して非対称の配置としてもよく、風環境を考慮して適切な配置を求める。
【０００９】
（２）は、建築物１の平面形状が多角形のケースであり、角１ａの角度は鈍角となる建築物１の角１ａの両側にフィン２、２を設ける場合を示したものである。
（３）は、角に辺の長さｅ１、ｅ２の隅欠３を形成した建築物１に対してフィン２、２を設ける場合であり、隅欠３の角３ａから距離Ｗ離して奥行Ｄのフィン２、２を配設したケースである。隅欠３の辺の長さｅ１、ｅ２は、風の卓越する方向に応じて長さをきめることがあるが、通常は等しくするものである。
【００１０】
図２は、幅９０ｍ、奥行６０ｍ、高さ１８０ｍの建築物の（１）斜視図と（２）平面図を示しており、平面図に示すように、建築物１の長辺に正対して風が吹くものと仮定し、図３に示すように、（１）ビル風対策を施さない建築物、（２）四つの角を６ｍ隅切した建築物、（３）建築物の４つの角から３ｍ（Ｗ）の位置に奥行３ｍ（Ｄ）、すなわちＷ＝Ｄとしてフィン２を設置した場合について、建築物１の周囲の風速分布を解析した結果を示したものである。
図３に示されているように、ビル風対策を施していない（１）の建築物においては、建築物の両側に風速５ｍ／秒以上の領域（Ａ）が発生しているが、（２）の隅切によってビル風対策した建築物と（３）フィンを設けた建築物においては、強風域（Ａ）は、発生していないことが認められる。
【００１１】
このことから、建築物の角にフィンを設けることによって建築物の周囲の風速分布は、隅切を設けた場合と同等もしくはより良好なビル風低減効果があるものと認められ、フィン２の効果が確認できた。
【００１２】
図４は、角１ａを挟んで設置されたフィン２、２の角１ａからの距離Ｗとフィン２からの突出量Ｄの比（Ｗ／Ｄ）の変更によってフィン２、２の頂部と角１ａを結ぶ仮想壁面４の形状がどのように変化するかを示したものであり、直角の角、鈍角の角及び隅欠３を設けた角の場合について、Ｗ＝Ｄ及びＷ＝２Ｄの場合について図示したものである。
図４（１ａ）に示す例は、角１ａが直角の場合であってＷ＝Ｄとしたものであり、フィン２、２の先端を結ぶ仮想壁面４は、角１ａに接するものとなって一直線となり、仮想壁面４の頂部は、フィン２の先端２か所となる。フィン２の奥行Ｄは０．１〜７ｍ程度、更に好ましくは１〜６ｍである。
図４（１ｂ）は、建築物１の直角の角１ａに、前記図４（１ａ）と同様にフィン２を壁面に直角に突出させて設置したものであり、角１ａからフィン２までの距離Ｗを奥行Ｄの２倍としたものである。フィン２、２の先端を結ぶ線は、角１ａの内側を通ることになるので、仮想壁面４はフィン２の先端と角１ａ、更に反対側のフィン２の先端を結ぶ折れ曲がったものとなり、３個の頂部を有する多角形の仮想壁面となる。
【００１３】
図４（２ａ）は、角１ａの角度が鈍角の建築物１の場合であって、フィン２、２を壁面に直角に突出させて設置したものであり、角１ａからフィン２までの距離Ｗと奥行Ｄが等しい場合である。角１ａが鈍角であることからフィン２、２の先端を結ぶ線は角１ａから離れた位置を通り、仮想壁面４は２つのフィン２の先端が頂部とするものとなる。
図４（２ｂ）は、（２ａ）と同様に建築物１の角１ａが鈍角であり、フィン２を壁面に直角に突出させて設置してあり、角１ａからフィン２までの距離Ｗを奥行Ｄの２倍としたものである。フィン２の先端を結ぶ仮想壁面４は、建築物１の壁の交差角が大きくなると、角１ａの外側を通ることになるので、２つのフィン２，２が頂部の仮想壁面４となる。壁の交差角が約１２６．８度より小さくなると仮想壁面４は、角１ａの内側を通ることになり、仮想壁面４は、図４（１ｂ）と同様に頂部が３つとなる。
【００１４】
図４（３ａ）は、角１ａに隅欠３が形成された建築物１にフィン２、２を設置したものであり、隅欠３の角３ａからフィン２の設置位置までの距離Ｗとフィン２の壁面からの奥行Ｄを等しくしたものであり、フィン２、２の先端を結ぶ仮想壁面４は、隅欠３の辺の長さｅ１、ｅ２が等しい場合は直線となり仮想壁面４の頂部は２つとなる。
【００１５】
図４（３ｂ）は、角に隅欠３を形成した建築物１にフィン２、２を設置したものであり、隅欠３の角３ａからフィン２の設置位置までの距離Ｗとフィン２の壁面からの奥行Ｄの比（Ｗ／Ｄ）を２としたものであり、フィン２、２の先端を結ぶ線は、隅欠３の角の内側を通るので仮想壁面４の頂部は、フィン２、２の先端、隅欠３の角３ａ、３ａと４つとなる。仮想壁面の頂部が多くなるにつれて仮想壁面４は曲線に近似してくるものとなる。
【００１６】
図５〜図１４は、フィン２を配設した建築物の実施例の立面形状と地上部近傍の平面形状を示すものである。
図５の（１）の例は、建築物１の平面形状が四角形であり、フィン２の奥行Ｄは、最上部から地上部まで等しいものであり、建築物１の平面形状は地上部から最上部まで一様であって同じ大きさであり、壁面は垂直である。また、フィン２は、建築物１の角から距離Ｗ離れた位置に角を挟んで対称の位置に配置されている。
【００１７】
図５（２）は、建築物１の最上階１０ａの平面形状を最大とし、地上階に向かって建築物１の平面形状が小さくなるようにしてあり、地上部近傍階１０ｂの平面形状が最小である。従って、壁面は最上階１０ａから地上部近傍階１０ｂに向かって内側に傾斜したものとなって台形状となる。フィン２は、建築物１の最上階１０ａの角を起点にして配置され、地上部近傍階１０ｂにおいては建築物１の角から距離Ｗ離れた位置で終わるように傾斜させてある。フィン２の壁面からの突出量である奥行Ｄは最上階ではほぼゼロであり、地上部近傍階１０ｂでは奥行Ｄとしてある。フィン２の端面は立面視で垂直としてある。フィン２の端面を垂直とせずに下側に向かって広がる形状としてもよい。
【００１８】
図６の（３）の建築物１は、平面形状を最上階１０ａから地上部近傍階１０ｂまで一様としてあり、フィン２の配置は、最上階１０ａの起点を角から距離Ｗ離した位置であり、奥行Ｄを最上階１０ａにおいてほぼゼロとし、地上部近傍階１０ｂにおいて奥行がＤとなるように漸増させた形状を採用しており、フィン２は傾斜させずに垂直に配置されている。
図６（４）の例は、建築物１の平面形状を最上階から地上階まで一様としてあり、フィン２の配置は、最上階の角を起点としてあり、最上階においてはＷ=０である。フィン２は地上部近傍階に向かって傾斜させて配置され、地上部近傍階において角から距離Ｗだけ離して配置されている。
【００１９】
図７の（５）の例は、建築物１の最上階１０ａの平面形状を最大とし、地上部近傍階１０ｂに向かって壁面を内側に傾斜させてある。最上階１０ａにおけるフィン２の起点は、角から距離Ｗ離した位置であり、最上階１０ａの起点においては、奥行Ｄは、ほぼゼロとしてある。フィン２の端面が最上階１０ａから地上部近傍階１０ｂまで垂直面となるようにしてあるのでフィン２の壁面からの突出量である奥行Ｄは地上部に向って漸増するものとなる。
【００２０】
図７の（６）の例は、建築物１の角の間の中間部にフィン２０を配置したものである。中間部のフィン２０の奥行Ｄは、建築物１の角を挟んで配置したフィン２のそれよりも大きなものとし、フィンの先端を結ぶ仮想壁面４が実際の壁面より外側に膨らんだ多角形となるようにしたものである。
【００２１】
図８の（７）の例は、最上階１０ａの平面形状が最大であり、地上部近傍階１０ｂに向かって壁面を内側に傾斜させて地上部近傍階１０ｂの平面形状を最小としたものである。最上階１０ａにおけるフィン２の起点は、角から距離Ｗ離した位置であり、地上部近傍階１０ｂにおいても角から距離Ｗ離してあるので、フィン２は傾斜したものとなる。
図８の（８）の例は、フィン２が最上階１０ａから地上部近傍階まで連続して配置するものでなく、図に示すように中間階Ｍをフィン２の起点とし、地上部近傍階まで配設したものである。
【００２２】
図９の（９）に示す例は、フィン２の奥行Ｄを最上階から地面に向かって一定割合で増加させるだけでなく、中間階２ｆにおいてフィン２の奥行Ｄの増加率を増大させて地上部近傍階における奥行Ｄを大きなものとしたもので、建築意匠的な効果も付加できるものである。また、図９（１０）の例は、最上階から地上部に向かって鉛直に配設されているフィン２を中間階２ｆにおいて傾斜させて地上部に向かって配設したものである。
【００２３】
図１０の（１１）に示す例は、建築物１が基壇５の上に構築されており、フィン２を基壇５の表面の近傍まで設けた例であり、基壇５の近傍が地上階近傍に相当する。フィン２の奥行Ｄは、最上部から基壇５まで等しいものであり、建築物１の平面形状は地面から最上階まで一様であって同じ大きさであり、壁面は垂直である。また、フィン２は、建築物１の角から距離Ｗ離れた位置に角を挟んで対称の位置に配置されている。
図１０の（１２）に示す例は、図１０（１１）と同様に建築物１を基壇５の上に構築した例であり、図５（２）の建築物１と同様であり、最上階１０ａの平面形状が最大であり、基壇５に向かって建築物１の平面形状が小さくなるようにしてあり、基壇５の近傍階１０ｂが最小形状である。壁面は最上階１０ａから基壇５に向かって内側に傾斜したものとなって台形状となる。フィン２は、建築物１の最上階１０ａの角を起点にして配置され、基壇５の近傍においては建築物１の角から距離Ｗ離れた位置で終わるように傾斜させてある。フィン２の壁面からの突出量である奥行Ｄは最上階１０ａではほぼゼロであり、基壇５の近傍階１０ｂにおいては奥行Ｄとしてあり、フィン２の端面は立面視で垂直としてある。
【００２４】
図１１の（１３）に示す例は、図１（２）に示した建築物１の平面形状が多角形の例であり、建築物１の角（鈍角）の両側にフィン２、２を壁面に鉛直に設置したものであり、その奥行は最上階から地上部近傍まで一定である。
図１１の（１４）に示す例は、平面形状は実施例（１３）の建築物１と同様であり、フィン２、２を途中の中間階２ｆにおいて両側に分岐させて分岐フィン２Ｄとし、この分岐フィン２Ｄを傾斜状態で地上部近傍まで延長設置したものである。隣接する分岐フィン２Ｄ同士は地上部近傍に達するまでに交差して菱形を形成するのでラチス形状となる。分岐フィン２Ｄの傾斜角は適宜の角度にすることができ、また、フィン２の分岐の位置を適宜の高さとすることができる。
【００２５】
図１２の（１５）に示す例は、平面形状が四角形で角が直角の建築物１であって、角を挟んだ位置にフィン２が設けてあり、角の間の中間部には適宜の間隔でフィン２０が設けてある。フィン２及びフィン２０は、図１１の実施例（１４）と同様に中間階から分岐フィン２Ｄが両側に傾斜させて分岐させてあり、分岐フィン２Ｄ同士を交差させてラチス形状としてある。
図１２の（１６）に示す例は、建築物１の平面形状は、図１１の実施例１３と同様の多角形であり、フィン２は、最上階の角から両側に傾斜させて地上部に向けて配設してあり、中間階２ｆにおいてフィン２の傾斜角を変更して大きくすることによって隣接するフィン２と交差させたものである。フィン２の奥行Ｄは、最上階においてほぼゼロであり、地上部に向かって一定割合で増加させてある。
【００２６】
図１３の（１７）に示す例は、建築物１の平面形状は、図１２の実施例１６と同じであり、最上階の角を起点として地上部近傍までフィン２の傾斜角を一定として配設してあり、フィン２の奥行は起点においてほぼゼロであり、地上部近傍において所定の奥行としてある。図１３の(１８) に示す例は、フィン２は実施例１７と同様に最上部の角を起点として両側に傾斜させて地上部近傍に向かって延びており、傾斜角を大きなものとして中間部でフィン２同士が交差するように配設したものである。フィン２の奥行は、起点においてほぼゼロであり、地上部近傍において所定の奥行としてある。
【００２７】
図１４の（１９）、（２０）に示す例は、最上階１０ａの面積が最大であり、地上部近傍階１０ｂが最小面積としてあり、壁面が傾斜している建築物１であること以外は、図１３の実施例１７、１８にそれぞれ  対応するものであり、フィン２の配置位置及び傾斜については実施例１７、１８と同様であるが、壁面が地上部に向かって傾斜しているので、奥行は最上階の起点においてほぼゼロであり、地上部近傍において所定の奥行としてある。
【符号の説明】
【００２８】
１    建築物
１ａ  建築物の角（建築物の壁面の交差部）
２    フィン
２ｆ  中間階
２Ｄ  分岐フィン
２０  中間部のフィン
３    隅欠
３ａ  隅欠の角
４    仮想壁面
５    基壇
Ｗ    建築物の角または隅欠の角からフィン設置位置までの距離
Ｄ    奥行（壁面からのフィンの突出量)
１０ａ  最上階
１０ｂ  地上部近傍階
【図１】
2019052500.tif 000003
【図２】
2019052500.tif 000004
【図３】
2019052500.tif 000005
【図４】
2019052500.tif 000006
【図５】
2019052500.tif 000007
【図６】
2019052500.tif 000008
【図７】
2019052500.tif 000009
【図８】
2019052500.tif 000010
【図９】
2019052500.tif 000011
【図１０】
2019052500.tif 000012
【図１１】
2019052500.tif 000013
【図１２】
2019052500.tif 000014
【図１３】
2019052500.tif 000015
【図１４】
2019052500.tif 000016